(57)【要約】【課題】操作性を損なうことなく、構造を簡単な誤動作防止機能を備えたトグルスイッチを提供することを目的とする。【解決手段】レバー５と、接触機構が内設されたケース１と、レバー５を傾動自在に支持するブッシング７が設けられたケースカバー６からなり、レバー５を傾動操作することで接触機構の開閉を行うトグルスイッチにおいて、レバー５に段部５ｄが形成されるとともにブッシング７に凸部７ａが形成され、レバー５が直立している時には、段部５ｄがブッシング７の凸部７ａと係合することでレバー５がロックされて傾動操作ができず、レバー５を下方に押し下げることで段部５ｄと凸部７ａの係合がによるロックが解除されてレバー５の傾動操作が可能となる。【選択図】図２
2011187347.tif 000002
【特許請求の範囲】
【請求項１】
レバーと、接触機構が内設されたケースと、前記レバーを傾動自在に支持するブッシングが設けられたケースカバーからなり、前記レバーを傾動操作することで前記接触機構の開閉を行うトグルスイッチにおいて、前記レバーに段部が形成されるとともに前記ブッシングに凸部が形成され、前記レバーが直立している時には、前記段部と前記凸部が係合することで前記レバーがロックされて傾動操作不能となり、前記レバーを下方に押し下げることで前記段部と前記凸部の係合によるロックが解除されて前記レバーの傾動操作が可能となることを特徴とするトグルスイッチ。
【請求項２】
請求項１記載のトグルスイッチにおいて、前記接触機構は前記ケースの内側底面に埋設された固定接点と該固定接点間を傾動する可動接片からなり、前記レバーが棒状体であって、略中央部に形成された胴部に前記段部が形成され、前記胴部を挟んで一方に操作部が形成されるとともに他方に収納孔が形成され、該収納孔に弾性部材を介して滑動棒が配設され、該滑動棒の前記可動接片に当接する方向への付勢と、前記段部と前記凸部が係合する方向への付勢を前記弾性部材で共用することを特徴とするトグルスイッチ。
【発明の詳細な説明】
【技術分野】
【０００１】
本発明は、トグルスイッチに係り、誤動作防止機能を備えたトグルスイッチに関するものである。
【背景技術】
【０００２】
従来の誤動作防止機能を備えたトグルスイッチは、スリーブの上端に設けた切欠に、レバーに被せたキャップの係合突起を係合させてロック状態に保持するもの（下記特許文献１参照）や、スイッチレバーを２つの第１レバーと第２レバーに分け、スイッチ本体から分離した第２レバーを第１レバーに可倒自在または着脱自在に連結してなるもの（下記特許文献２参照）があった。
【先行技術文献】
【特許文献】
【０００３】
【特許文献１】実開昭６３−０８９６４３号
【特許文献２】特開昭６１−２４３６２５号
【発明の概要】
【発明が解決しようとする課題】
【０００４】
しかしながら、上記した従来の誤動作防止機能では、ロック機構を構成する部品が増加するためコストや組立て工数が増加し、ロックを解除するにはキャップを引き上げる動作が必要となるため操作が煩わしかった。また、複雑なロック機構を設けずにレバーを着脱自在にした場合は、構造は簡単であるがレバーを紛失し、操作ができなくなるといった問題があった。
【０００５】
そこで本発明は、上記状況に鑑みて、操作性を損なうことなく、構造が簡単な誤動作防止機能を備えたトグルスイッチを提供することを目的とする。
【課題を解決するための手段】
【０００６】
本発明は、上記目的を達成するために、
〔１〕レバーと、接触機構が内設されたケースと、前記レバーを傾動自在に支持するブッシングが設けられたケースカバーからなり、前記レバーを傾動操作することで前記接触機構の開閉を行うトグルスイッチにおいて、前記レバーに段部が形成されるとともに前記ブッシングに凸部が形成され、前記レバーが直立している時には、前記段部と前記凸部が係合することで前記レバーがロックされて傾動操作不能となり、前記レバーを下方に押し下げることで前記段部と前記凸部の係合によるロックが解除されて前記レバーの傾動操作が可能となることを特徴とする。
〔２〕上記〔１〕記載のトグルスイッチにおいて、前記接触機構は前記ケースの内側底面に埋設された固定接点と該固定接点間を傾動する可動接片からなり、前記レバーが棒状体であって、略中央部に形成された胴部に前記段部が形成され、前記胴部を挟んで一方に操作部が形成されるとともに他方に収納孔が形成され、該収納孔に弾性部材を介して滑動棒が配設され、該滑動棒の前記可動接片に当接する方向への付勢と、前記段部と前記凸部が係合する方向への付勢を前記弾性部材で共用することを特徴とする。
【発明の効果】
【０００７】
本発明によれば、次のような効果を奏することができる。
（１）レバーを押し下げないと傾動できないため、不用意に触れてもレバーが傾動せず、誤動作が防止できる。
（２）レバー押し下げてから傾動するといったスムーズな操作でロックが解除できるので、操作に煩わしさがなく、操作性を損なうことなく誤動作防止機能を備えることができる。
（３）レバーに段部を設けるだけで誤動作防止機能を実現したため部品点数が増加せず、構造が簡単である。
（４）誤動作防止機能をスイッチ本体内部に設けたので、外観がシンプルで美観が損なわれない。
（５）ロック機構を実現する特別な形状の操作部にする必要がなく、誤動作防止機能が備えられていないトグルスイッチの操作部と同形状で誤動作防止機能が実現できる。
（６）誤動作防止機能が備えられていないトグルスイッチの操作部と同形状なので、一見しただけでは誤動作防止機能が備えられていることが認識できないため、特定の操作者のみが操作可能。
【図面の簡単な説明】
【０００８】
【図１】本発明の実施例を表すトグルスイッチの分解斜視図である。
【図２】本発明の実施例を表すトグルスイッチのロック時の断面図である。
【図３】本発明の実施例を表すトグルスイッチのロック解除時の断面図である。
【発明を実施するための形態】
【０００９】
本発明は、レバーを押し下げることでロックを解除して、スイッチを操作することができる構成とする。よって、操作性を損なうことなく、簡単な構造で誤動作を防止することができる。
【実施例】
【００１０】
以下、本発明の実施例について、図面を参照しながら詳細に説明する。
【００１１】
図１は本発明の実施例を表すトグルスイッチの分解斜視図、図２は本発明の実施例を表すトグルスイッチのロック時の断面図であり、図２（ａ）はレバー直立時を、図２（ｂ）はロック状態を示している。図３は本発明の実施例を表すトグルスイッチのロック解除時の断面図であり、図３（ａ）はレバーの押し下げ時を、図３（ｂ）はレバーの傾動時を示している。
【００１２】
これらの図において、１はケース、２は可動接片、３は可動接片２上を摺動する滑動棒、４はコイルバネ、５はレバー、６はケースカバー、７はレバー５を傾動自在に支持するブッシング、８は端子、９はケース１に埋設され端子８を固定する固定接点、１０は可動接片２を傾動自在に支持する受部材、１１は受部材１０および端子８をケース１に固定する鋲、１２はケースカバー６をケース１に固定するネジ、１３は六角ナット、１４は座金、１５は丸ナットである。レバー５は棒状体であって、略中央部の胴部５ａ、端部の一方に操作部５ｂ、他方にコイルバネ４および滑動棒３を収納する収納孔５ｃが形成され、胴部５ａに段部５ｄが形成されている。ケースカバー６は略板状であって、略中央部にブッシング７が結合される結合孔６ａが形成され、四隅のうち２箇所にネジ１２が螺合される固定孔６ｂが形成されている。ブッシング７は略筒状であって、開口部の一方に内側に向かって凸部７ａが開口部を一周するように形成されている。
【００１３】
ケース１の内側底面に固定接点９が埋設されるとともに、ケース１の裏面に配設された端子８が固定接点９で固定される。受部材１０の底面に鋲１１が固定され、鋲１１がケース１に埋設されてケース１の内側底面の略中央部に受部材１０が鋲１１で固定されるとともに、ケース１の裏面に配設された端子８が鋲１１で固定される。可動接片２が受部材１０上に配設され、収納孔５ｃにコイルバネ４を介して滑動棒３が配設されたレバー５が可動接片２上に滑動棒３が当接するように配設される。そして、ケースカバー６の結合孔６ａに結合されたブッシング７の開口部からレバー５の操作部５ｂが突出するようにケースカバー６がケース１に被され、ケース１に形成された貫通孔１ａの下方からネジ１２を挿入してケースカバー６の固定孔６ｂと螺合され、六角ナット１３、座金１４および丸ナット１５をブッシング７の外周に配設することにより、トグルスイッチが完成される。
【００１４】
以上のように構成された本発明のトグルスイッチは、六角ナット１３の締め付けにより座金１４と丸ナット１５で操作パネル（図示せず）を挟持することで操作パネルに固定され、レバー５が直立している時は、コイルバネ４により、滑動棒３が下方に付勢されるとともにレバー５が上方に付勢されて、レバー５の段部５ｄとブッシング７の凸部７ａが係合しているため、レバー５がロックされて、傾動操作を行うことができない。レバー５を下方に押し下げると、段部５ｄと凸部７ａの係合が外れるため、レバー５のロックが解除されて、傾動操作が可能となり、接点２ａが固定接点９と接触して導通する。同様にして逆方向に傾動させることで電路を切換えることができる。
【００１５】
このように、本実施例に示すトグルスイッチは、レバー５が直立している時はレバー５がロックされて傾動操作ができず、レバー５を下方に押し下げることでレバー５のロックが解除されて傾動操作が可能となる構造としたため、操作性を損なうことなく、誤動作が防止できるという特徴を有している。
【００１６】
本実施例では、ブッシングとケースカバーを別部品として結合しているが、一体的に形成してもよく、ケースカバーをケースにネジで固定しているが、嵌合などとしてもよい。また、接触機構はレバーの傾動操作によって切換えが可能な他の構成としてもよい。操作パネルへの取付けもナットによる取付け以外の他の構成としてもよく、種々の方法が考えられる。
【００１７】
なお、本発明は上記の実施例に限定されるものではなく、本発明の趣旨に基づき種々の変形が可能であり、これらを本発明の範囲から排除するものではない。
【産業上の利用可能性】
【００１８】
本発明のトグルスイッチは、操作性を損なうことなく、構造が簡単な誤動作防止機能を備えたトグルスイッチとして利用可能である。
【符号の説明】
【００１９】
１    ケース
１ａ  貫通孔
２    可動接片
２ａ  接点
３    滑動棒
４    コイルバネ
５    レバー
５ａ  胴部
５ｂ  操作部
５ｃ  収納孔
５ｄ  段部
６    ケースカバー
６ａ  結合孔
６ｂ  固定孔
７    ブッシング
７ａ  凸部
８    端子
９    固定接点
１０  鋲
１１  受部材
１２  ネジ
１３  六角ナット
１４  座金
１５  丸ナット
【図１】
2011187347.tif 000003
【図２】
2011187347.tif 000004
【図３】
2011187347.tif 000005